(57)【要約】  医療イメージングシステム１００は、ユーザインターフェース１１０とビュー拡大エンジン１３０とを備える。ユーザインターフェースは、医療画像のビューをディスプレイデバイス１１４上に表示し、表示された医療画像中に配置された可動点を識別する可動インジケータ１１６を与える。ビュー拡大エンジン１３０は、表示された医療画像内の関心領域の局所的拡張を、１つ又は複数の入力デバイスによる第１の入力に従って、及び、可動インジケータの現在の位置によって示された、表示された医療画像中の既存の終了点又は既存の輪郭の選択に応答して、生成する。【特許請求の範囲】
【請求項１】
医療画像のビューをディスプレイデバイス上に表示し、表示された前記医療画像中に配置された可動点を識別する可動インジケータを与える、ユーザインターフェースと、
表示された前記医療画像内の関心領域の局所的拡張を、１つ又は複数の入力デバイスによる第１の入力に従って、及び、前記可動インジケータの現在の位置によって示された、表示された前記医療画像中の既存の終了点又は既存の輪郭の選択に応答して、生成する、ビュー拡大エンジンと
を備える、医療イメージングシステム。
【請求項２】
前記可動インジケータの速度と、前記可動インジケータの最大速度と、前記可動インジケータの平均速度と、選択された前記既存の終了点からの前記可動インジケータの前記現在の位置の最大距離とからなるグループから選択された少なくとも１つを含む第２の入力に従って、表示された前記医療画像内の前記関心領域の生成される前記局所的拡張を要求する信号を生成する、意図検出エンジン
をさらに備え、
前記ビュー拡大エンジンは、生成された前記信号に応答して、前記関心領域の前記局所的拡張を生成する、
請求項１に記載の医療イメージングシステム。
【請求項３】
前記意図検出エンジンは、前記１つ又は複数の入力デバイスのキー押下の持続時間と、選択された前記既存の終了点に対する固定位置における前記可動インジケータの持続時間とからなるグループから選択された少なくとも１つを含む第３の入力に従って、表示された前記医療画像内の前記関心領域の生成される前記局所的拡張を要求する前記信号を生成する、請求項２に記載の医療イメージングシステム。
【請求項４】
前記関心領域の生成される前記局所的拡張の位置が、前記可動インジケータの前記現在の位置と、前記既存の終了点の位置と、前記既存の終了点及び別の終了点の位置と、前記既存の輪郭の位置とからなるグループから選択された少なくとも１つに対する位置である、請求項１乃至３のいずれか一項に記載の医療イメージングシステム。
【請求項５】
前記意図検出エンジンが、前記第１の入力と前記第２の入力と前記第３の入力とからなるグループから選択された少なくとも１つを、前記関心領域の生成される前記局所的拡張を要求する前記信号にマッピングするルールを使用する、請求項３に記載の医療イメージングシステム。
【請求項６】
前記ビュー拡大エンジンが、選択された前記既存の終了点と別の終了点との間の第１の距離に従って、前記関心領域の前記局所的拡張のサイズ、ズーム係数、及び形状を決定する、請求項１乃至５のいずれか一項に記載の医療イメージングシステム。
【請求項７】
前記ビュー拡大エンジンが、前記既存の輪郭によって画定されたエリアにわたる幅の第２の距離に従って、前記関心領域の前記局所的拡張のサイズ、ズーム係数、及び形状を決定する、請求項１乃至６のいずれか一項に記載の医療イメージングシステム。
【請求項８】
前記関心領域の前記局所的拡張の前記サイズが、前記第１の距離と前記第２の距離とのグループから選択された少なくとも１つに比例する、請求項６及び７に記載の医療イメージングシステム。
【請求項９】
前記関心領域の前記局所的拡張の前記ズーム係数が、前記第１の距離と前記第２の距離とのグループから選択された少なくとも１つに反比例する、請求項６及び７に記載の医療イメージングシステム。
【請求項１０】
表示された前記医療画像中の前記関心領域とは別様に前記関心領域の前記局所的拡張のコントラストを変更するコントラストエンジン
をさらに備える、請求項１乃至９のいずれか一項に記載の医療イメージングシステム。
【請求項１１】
医療画像のビューをディスプレイデバイス上に表示し、表示された前記医療画像中に配置された可動点を識別する可動インジケータを与えるステップと、
表示された前記医療画像内の関心領域の局所的拡張を、１つ又は複数の入力デバイスによる第１の入力に従って、及び、前記可動インジケータの現在の位置によって示された、表示された前記医療画像中の既存の終了点又は既存の輪郭の選択に応答して、生成するステップと
を有する、医療画像を表示する方法。
【請求項１２】
前記可動インジケータの速度と、前記可動インジケータの最大速度と、前記可動インジケータの平均速度と、選択された前記既存の終了点からの前記可動インジケータの前記現在の位置の最大距離とからなるグループから選択された少なくとも１つを含む第２の入力に従って、表示された前記医療画像内の前記関心領域の生成される前記局所的拡張を要求する信号を生成するステップをさらに有し、前記関心領域の前記局所的拡張が、生成された前記信号に応答して生成される、
請求項１１に記載の方法。
【請求項１３】
前記信号を生成するステップが、
前記１つ又は複数の入力デバイスのキー押下の持続時間と、選択された前記既存の終了点に対する固定位置における前記可動インジケータの持続時間とからなるグループから選択された少なくとも１つを含む第３の入力に従って、表示された前記医療画像内の前記関心領域の生成される前記局所的拡張を要求する前記信号を生成するステップ
を有する、請求項１１又は１２に記載の方法。
【請求項１４】
前記関心領域の生成された前記局所的拡張の位置が、前記可動インジケータの前記現在の位置と、前記既存の終了点の位置と、前記既存の終了点及び別の終了点の位置と、前記既存の輪郭の位置とからなるグループから選択された少なくとも１つに対する位置である、請求項１２又は１３に記載の方法。
【請求項１５】
前記信号を生成するステップが、
前記第１の入力と前記第２の入力と前記第３の入力とからなるグループから選択された少なくとも１つを、前記関心領域の生成された前記局所的拡張を要求する前記信号にマッピングするルールを使用するステップ
を有する、請求項１２及び１３に記載の方法。
【請求項１６】
前記関心領域の局所的拡張を生成するステップが、
選択された前記既存の終了点と別の終了点との間の第１の距離に従って、前記関心領域の前記局所的拡張のサイズ、ズーム係数、及び形状を決定するステップ
を有する、請求項１１乃至１４のいずれか一項に記載の方法。
【請求項１７】
前記関心領域の前記局所的拡張を生成するステップが、
表示された前記医療画像中の前記関心領域とは別様に前記関心領域の前記局所的拡張のコントラストを変更するステップ
を有する、請求項１１乃至１６のいずれか一項に記載の方法。
【請求項１８】
請求項１１乃至１７のいずれか一項に記載の方法を実施するように１つ又は複数のプロセッサを制御するソフトウェアを担持する、非一時的コンピュータ可読記憶媒体。
【請求項１９】
請求項１１乃至１７のいずれか一項に記載の方法を実施する、プロセッサ。
【請求項２０】
医療画像のビューをディスプレイデバイス上に表示し、表示された前記医療画像中に配置された可動点を識別する可動インジケータを与える、ユーザインターフェースと、
表示された前記医療画像内の関心領域の局所的拡張を要求する信号を、１つ又は複数の入力デバイスによる第１の入力に従って、及び、前記可動インジケータの現在の位置によって示された、表示された前記医療画像中の既存の終了点又は既存の輪郭の選択と、生成される前記信号に少なくとも前記第１の入力の評価をマッピングするルールのセットの評価とに応答して、生成する、意図検出エンジンと、
生成された前記信号に応答して、表示された前記医療画像内の前記関心領域の前記局所的拡張を生成する、ビュー拡大エンジンと
を備える、医療イメージングシステム。
【発明の詳細な説明】
【技術分野】
【０００１】
以下は、一般にイメージングに関し、より詳細には、コンピュータ断層撮影（ＣＴ）再構成、陽電子放射断層撮影（ＰＥＴ）、単光子放射コンピュータ断層撮影（ＳＰＥＣＴ）、磁気共鳴（ＭＲ）、及びそれらの組合せなどのモダリティからの医療画像の解釈及び測定に関する。
【背景技術】
【０００２】
医療画像の解釈は、病変の寸法など、定量的測定を含むことがある。たとえば、固形腫瘍における反応評価基準（ＲＥＣＩＳＴ：Ｒｅｓｐｏｎｓｅ  Ｅｖａｌｕａｔｉｏｎ  Ｃｒｉｔｅｒｉａ  Ｉｎ  Ｓｏｌｉｄ  Ｔｕｍｏｒｓ）では、画像スライス又はビューにおいて最も広い点における病変にわたって測定が行われる。すなわち、病変の最も広い部分が測定される。次いで、腫瘍に等級をつけ、或いは進行しているか又は安定しているかなど、腫瘍のステータスを与えるために、経時的測定が使用される。次いで、腫瘍の等級又はステータスは一般に、正式なガイドラインに従って、患者のための治療選択肢を決定するために使用される。
【発明の概要】
【発明が解決しようとする課題】
【０００３】
放射線科医など、ヘルスケア専門家は、患者についての医療画像を受け取り、その画像を解釈し、又は読む。ヘルスケア専門家は、医療画像を解釈するための時間的制約の下にある。ＲＥＣＩＳＴ測定など、測定は、一般に、開始点及び終了点をマークすることによって行われる。しかしながら、画像を表示するディスプレイデバイスの解像度と、表示された画像に対するマウスカーソルなどのポインタの精度とにより、終了点の配置が、測定に誤差をもたらすことがある。これに対処するための一般的な手法は、ズーム機能を使用することである。ズーム機能は、ディスプレイデバイスの物理的制約内でディスプレイデバイス上の画像を拡張し、これは、測定される病変の境界に対してより正確に配置された終了点を可能にする。
【０００４】
画像上でズームイン及びズームアウトすることは、ワークフローを中断し、プロセスに時間を付加する。さらに、画像上でズームインすることは、ディスプレイデバイス又はディスプレイデバイス内のウィンドウの制約内に、ズームされた画像を適応させるために、ビューから画像の一部分を削除し、これは、全体としての画像に対してコンテキスト及び解釈を与える。たとえば、複数の病変をもつ画像では、特定の病変の測定のために画像上でズームインすることにより、ビューから他の病変が削除されることがあり、その場合、それらの他の病変について、ヘルスケア従業者は、コンテキストを再確立するために再びズームアウトした後に、視覚的及び精神的に再走査する。コンテキストは、たとえば、どの病変が測定されているか、次にどれが測定されるべきかを含むことがあり、再走査し、コンテキストを再確立するための追加時間を付加する。
【０００５】
１つの手法は、ツールバー又はドロップダウンメニューを付加することであり、これにより、拡張及び／又は測定ツールを選択するために、マウスクリックなどの追加入力が付加される。経時的に、この手法は、画像上のズームイン及びズームアウトのオーバーヘッドと同様に、反復的な追加入力によるオーバーヘッドを付加する。
【０００６】
解釈及び測定の別の手法は、画像処理であり、それは、コンピュータベースのアルゴリズムを使用して、画像中の病変を自動的に識別及びセグメント化する。セグメント化された病変は、測定を行うための輪郭線を用いて識別される。輪郭付けされた病変は、画像上に重ね合わせられて提示され、ヘルスケア専門家が、測定が行われる前に輪郭線を調節すること、すなわち、病変の形状により良く一致するように輪郭線をドラッグ又は移動することを可能にする。輪郭線のより良い配置を識別することが、しばしば、輪郭付けされた病変上でのズームインを用いて行われ、上記で説明された、測定のためにズームインすることに対する問題と同様の問題がもたらされる。
【０００７】
本明細書で説明される態様は、上記の問題などに対処する。
【課題を解決するための手段】
【０００８】
以下で、ディスプレイデバイス上に表示された医療画像のビュー内に表示されるコンテキスト依存拡大鏡について説明する。コンテキスト依存拡大鏡は、表示された医療画像中の関心領域の局所的拡張を含む。医療画像の寸法にマッピングされた関心領域の局所的拡張における点をマークする、入力が受信され得る。コンテキスト依存拡大鏡を起動することは、現在表示されている情報及び／或いは１つ又は複数の入力デバイスからの入力に応答して行われ得る。
【０００９】
一態様では、医療イメージングシステムが、ユーザインターフェースとビュー拡大エンジンとを含む。ユーザインターフェースは、医療画像のビューをディスプレイデバイス（１１４）上に表示し、表示された医療画像中に配置された可動点を識別する可動インジケータ（１１６）を与える。ビュー拡大エンジン（１３０）は、表示された医療画像内の関心領域の局所的拡張を、１つ又は複数の入力デバイスによる第１の入力に従って、及び、可動インジケータの現在の位置によって示された、表示された医療画像中の既存の終了点又は既存の輪郭の選択に応答して、生成する。
【００１０】
別の態様では、医療画像を表示する方法が、医療画像のビューをディスプレイデバイス上に表示するステップと、表示された医療画像中に配置された可動点を識別する可動インジケータを与えるステップとを有する。表示された医療画像内の関心領域の局所的拡張が、１つ又は複数の入力デバイスによる第１の入力に従って、及び、可動インジケータの現在の位置によって示された、表示された医療画像中の既存の終了点又は既存の輪郭の選択に応答して、生成される。
【００１１】
別の態様では、医療イメージングシステムが、ユーザインターフェースと、意図検出エンジンと、ビュー拡大エンジンとを含む。ユーザインターフェースは、医療画像のビューをディスプレイデバイス上に表示し、表示された医療画像中に配置された可動点を識別する可動インジケータを与える。意図検出エンジンは、表示された医療画像内の関心領域の局所的拡張を要求する信号を、１つ又は複数の入力デバイスによる第１の入力に従って、及び、可動インジケータの現在の位置によって示された、表示された医療画像中の既存の終了点又は既存の輪郭の選択と、生成される信号に少なくとも第１の入力の評価をマッピングするルールのセットの評価とに応答して、生成する。ビュー拡大エンジンは、生成された信号に応答して、表示された医療画像内の関心領域の局所的拡張を生成する。
【００１２】
本発明のこれら及び他の態様は、以下で説明される（１つ又は複数の）実施形態から明らかになり、それらに関して解明されるであろう。
【００１３】
本発明は、様々な構成要素及び構成要素の配列での形態、並びに様々なステップ及びステップの配列での形態をとる。図面は、好ましい実施形態を示すためのものにすぎず、本発明を限定するものと解釈されるべきではない。
【図面の簡単な説明】
【００１４】
【図１】コンテキスト依存ビュー拡大エンジンをもつ医療イメージングシステムの一実施形態を概略的に示す図である。
【図２】病変の末端における終了点をもつ、関心領域の局所的拡張の例示的な表示を概略的に示す図である。
【図３】セグメント化された病変輪郭の移動を示す点をもつ、関心領域の局所的拡張の例示的な表示を概略的に示す図である。
【図４】病変の末端における既存の終了点を選択する、例示的な医療画像のビュー内の関心領域の局所的拡張の例示的な表示を示す図である。
【図５】関心領域のコンテキスト依存局所的拡張を伴う医療画像を表示する方法の一実施形態をフローチャート化した図である。
【発明を実施するための形態】
【００１５】
図１を参照すると、コンテキスト依存ビュー拡大エンジンをもつ医療イメージングシステム１００の一実施形態が概略的に示されている。システム１００はユーザインターフェース１１０を含み、ユーザインターフェース１１０は、医療画像１１２のビューをディスプレイデバイス１１４上に表示し、可動インジケータ１１６を与える。可動インジケータ１１６は、マウス、キーボード、マイクロフォン、タッチスクリーン、ライトペン、それらの組合せなど、１つ又は複数の入力デバイス１１８による第１の入力に従って、表示された医療画像１１２中に配置された可動点を識別する。ユーザインターフェース１１０は、第１の座標系における可動インジケータ１１６の位置を、医療画像の第２の座標系にマッピングする。
【００１６】
たとえば、ＤＩＣＯＭフォーマットでの医療画像が、第１の座標系における患者の解剖学的位置及びサイズに対応する寸法を含むことができ、医療画像の表示は、ディスプレイデバイス１１４の表示エリア１２０内に収まるように医療画像を拡張するズーム係数を用いて、表示された医療画像１１２を含むビュー又はウィンドウなどをもつ、第２の座標系において寸法を変化させる。ディスプレイデバイス１１４と、表示された医療画像１１２と、可動インジケータ１１６の位置とに従う座標は、ＤＩＣＯＭフォーマットでの医療画像の座標系にマッピングされる。したがって、たとえば、表示された医療画像１１２中の病変１２２を測定するとき、測定値は、ＤＩＣＯＭフォーマットによって示された解剖学的距離に従うものであり、病変の拡大部分１２３をもつディスプレイデバイス１１４の物理的寸法に従うものではない。
【００１７】
表示された医療画像１１２は、コンピュータ断層撮影（ＣＴ）スキャナ、磁気共鳴（ＭＲ）スキャナ、陽電子放射断層撮影（ＰＥＴ）スキャナ、単光子放射コンピュータ断層撮影（ＳＰＥＣＴ）スキャナ、超音波（ＵＳ）スキャナ、それらの組合せなど、医療イメージングスキャナ１２４から直接受信され得る。表示された医療画像１１２は、ピクチャアーカイビング通信システム（ＰＡＣＳ）、放射線学情報システム（ＲＩＳ）、電子医療記録（ＥＭＲ）、病院情報システム（ＨＩＳ）など、ストレージサブシステム１２６から受信され得る。医療画像は、表示された医療画像１１２としてディスプレイデバイス１１４上の２次元ビュー中に表示される、２次元又はそれ以上の次元の医療画像を含むことができる。
【００１８】
ビュー拡大エンジン１３０は、可動インジケータ１１６の現在の位置に対する表示された医療画像１１２内の関心領域１３２の局所的拡張を生成する。ビュー拡大エンジン１３０は、サイズ、ズーム係数、位置及び形状を含む、関心領域の局所的拡張の属性を決定する。局所的拡張は、画像全体よりも小さい、表示された医療画像１１２の拡大エリアを含み、そのようなエリアは、表示された医療画像１１２のエリアの１０パーセント未満である。いくつかの実施形態では、属性は、ユーザ選好又はデフォルト値に基づいて決定される。いくつかの実施形態では、属性は、測定の終了点、又はセグメント化された病変のエリア輪郭の幅など、表示された医療画像１１２とともに表示された情報に基づいて決定される。
【００１９】
たとえば、関心領域の局所的拡張のサイズは、既存の終了点間の距離に比例し得、関心領域の局所的拡張のズーム係数は、既存の終了点間の距離に反比例し得、及び／又は関心領域の局所的拡張の位置は、表示された医療画像内の終了点のうちの１つを含むことができる。別の例では、距離は、輪郭付けされたセグメント化された病変にわたる最大の幅に対応する。
【００２０】
関心領域１３２の局所的拡張の属性は、１つ又は複数の入力デバイス１１８からの入力を用いて変更され得る。たとえば、マウスホイールからの入力が、現在表示されている関心領域１３２の局所的拡張のズーム係数を増加又は減少させることができる。ユーザインターフェース１１０は、表示された医療画像１１２の第２の座標系とは異なる関心領域１３２の局所的拡張内の第３の座標系から、可動インジケータ１１６に従う医療画像の第１の座標系へのマッピングを調節する。
【００２１】
コントラストエンジン１４０が、表示された医療画像中の関心領域とは別様に関心領域の局所的拡張のコントラストを変更することができる。いくつかの事例では、コントラストは、病変１２２のエッジがより容易に明らかになるように、拡張表示されていない関心領域から増加させられ得る。いくつかの事例では、表示された医療画像１１２の周囲の拡張されていないエリアとのコントラストの差が、表示された医療画像１１２に対するコンテキストを全体として維持しながら、視覚的注意を増加させるなど、コントラストの際立つエリアに対する注目を高める。
【００２２】
意図検出エンジン１５０が、関心領域１３２の局所的拡張を生成するためにビュー拡大エンジン１３０を起動する第１の信号を生成し、関心領域１３２の局所的拡張を削除するためにビュー拡大エンジン１３０を起動する第２の信号を生成することができる。第１及び第２の信号は、当技術分野で知られているコンピュータ呼出し機能又は割り込み機能を使用して実施され得る。信号は、入力を信号にマッピングするルールに基づいて評価され得る。
【００２３】
第１の信号は、現在表示されている情報、終了点又は輪郭の選択又は他の入力と組み合わせた終了点又は輪郭の選択など、入力及び／又は入力からの属性に基づいて生成され得る。いくつかの事例では、第１の信号は、ヘルスケア従業者が既存の終了点又は輪郭の位置をわずかに調節することを試みること示す、意図された応答を示す。いくつかの事例では、意図は、１つ又は複数の入力デバイス１１８の小さい及び／又は非常に近い移動、並びに可動インジケータ１１６の対応する移動から推論される。いくつかの事例では、一部のヘルスケア従業者の場合、既存の終了点は、最初に、約５０％で正確に配置されるので、関心領域１３２の局所的拡張を不必要に起動することが回避され、正確に配置された終了点の場合、関心領域１３２の局所的拡張を削除するための必要とされない余分の入力及び／又は動作が回避され、不正確に配置された終了点の場合、関心領域１３２の局所的拡張を起動するための余分の入力及び／又は動作が最小化される。
【００２４】
第２の信号は、入力コマンドに基づいて、又は可動インジケータ１１５を関心領域１３２の局所的拡張の外部に配置することに基づいて生成され得る。たとえば、ビュー拡大エンジン１３０は、関心領域１３２の局所的拡張内にもはやない、可動インジケータ１１６に対応する入力として受信されたマウス位置に応答してシグナリングされる。別の例では、意図検出エンジン１５０によって受信されたキーボードコマンドに応答して、ビュー拡大エンジン１３０は、関心領域１３２の局所的拡張を削除するようにシグナリングされる。既存の終了点又は輪郭の位置の変化は、関心領域１３２の局所的拡張の削除後、拡張表示されていない関心領域１３２中に補正されて表示される。言い換えれば、拡大エリアで示された既存の終了点の変化は、拡大エリアから解剖学的座標系にマッピングされ、拡大エリアの削除後、解剖学的座標系から、表示された画像の座標系にマッピングされる。
【００２５】
ユーザインターフェース１１０、ビュー拡大エンジン１３０、コントラストエンジン１４０、及び意図検出エンジン１５０は、コンピューティングデバイス１６２の１つ又は複数のプロセッサ１６０など、１つ又は複数の構成されたプロセッサによって適切に具現される。（１つ又は複数の）構成されたプロセッサ１６０は、コンピューティングデバイス１６２のメモリ１６４など、コンピュータ可読記憶媒体に記憶された少なくとも１つのコンピュータ可読命令を実行し、コンピュータ可読記憶媒体は、一時的媒体を除外し、開示された位相再構成技法、セグメント化技法、マスク構成技法、血管強調技法、レジストレーション技法、動き推定技法、及び動き補償再構成技法を実施するための物理メモリ及び／又は他の非一時的媒体を含む。構成されたプロセッサはまた、搬送波、信号又は他の一時的媒体によって搬送された１つ又は複数のコンピュータ可読命令を実行する。コンピューティングデバイス１６２は、ワークステーション、ラップトップ、タブレット、スマートフォン、身体着用型コンピューティングデバイス、サーバ、それらの組合せなどを備えることができる。図において表される構成要素間の線は、ワイヤード又はワイヤレスであり得る通信経路を表す。
【００２６】
コンピューティングデバイス１６２は、コンピュータディスプレイ、プロジェクタ、身体着用型ディスプレイなど、ディスプレイデバイス１１４と、マウス、キーボード、マイクロフォン、タッチ又はジェスチャーインターフェースなど、１つ又は複数の入力デバイス１１８とを備える。コンピューティングデバイス１６２は、デジタルプロセッサ、マイクロプロセッサ、電子プロセッサ、光学プロセッサ、マルチプロセッサなど、１つ又は複数のプロセッサ１６０を含み、プロセッサの分散が、ピアツーピア又は協働的に動作するプロセッサ、プロセッサのクライアントサーバ配置などを含む。
【００２７】
図２を参照すると、病変１２２の末端における終了点２００をもつ関心領域１３２の局所的拡張の例示的な表示が概略的に示されている。関心領域１３２の局所的拡張は、表示された医療画像１１２内に配置される。いくつかの事例では、関心領域１３２の局所的拡張は、病変の拡張部分１２３、輪郭、及び／又は測定の１つの既存の終了点を含むにすぎない。
【００２８】
可動インジケータ１１６は、マウスクリックなどの入力を伴って、前に入力された又は既存の終了点など、既存の終了点２００、病変１２２を測定するために使用される２つの終了点のうちの１つ、或いは既存の輪郭線を選択する。次いで選択される既存の終了点の表示された情報を含む、コンテキストが確立される。いくつかの実施形態では、既存の終了点を選択するというコンテキストは、関心領域１３２の局所的拡張を起動する信号を生成する。いくつかの事例では、コンテキストは、表示された医療画像１１２内での場所のコンテキストを失うことなしに、ウィンドウ内の別個のウィンドウ中の表示された医療画像１１２の特定のエリア上で自動的にズームインすることなど、正確に終了点を配置するためのヘルスケア専門家による入力及び／又は行為の数を低減する。
【００２９】
いくつかの実施形態では、関心領域１３２の局所的拡張を起動するための第１の信号を生成するコンテキストは、可動インジケータの速度、可動インジケータの最大速度、可動インジケータ１１６の平均速度、選択された既存の終了点からの可動インジケータ１１６の現在の位置の最大距離、１つ又は複数の入力デバイス１１８のキー押下又は持続時間の間のキー押下、及び／或いは選択された既存の終了点に対する固定位置における可動インジケータ１１６の持続時間などと組み合わせた、既存の終了点を選択することと追加の入力とを組み合わせたものである。持続時間は、通常の応答時間よりも大きく設定された所定のしきい値と比較され得る。
【００３０】
図３を参照すると、セグメント化された病変輪郭３０２の移動を示す点３００をもつ、関心領域１３２の局所的拡張の例示的な表示が概略的に示されている。いくつかの実施形態では、第１の信号は、セグメント化された病変の輪郭３０２など、表示された情報に基づいて、関心領域１３２の局所的拡張を起動するために生成される。たとえば、輪郭３０２によって画定されたエリア内でのマウスクリックが、関心領域１３２の局所的拡張を起動する。いくつかの実施形態では、輪郭３０２全体が関心領域１３２の局所的拡張内で可視であるように、関心領域１３２の局所的拡張の属性が決定される。輪郭又はそれの一部分を変化させること又は再配置することは、当技術分野で知られているアルゴリズムに従って行われ得る。
【００３１】
輪郭３０２の変化又は移動は、可動インジケータ１１６を用いて示され得る。たとえば、輪郭を変更するために、ドラッグ操作を伴う輪郭に沿った点の選択が使用され得る。いくつかの実施形態では、輪郭３０２を移動する入力、及び関心領域１３２の局所的拡張を移動する入力は、現在表示されている情報に基づく。たとえば、輪郭３０２の点上でのマウスクリック及びドラッグは、輪郭３０２を移動し、輪郭３０２によって画定されたエリア内にない関心領域１３２の局所的拡張内でのマウスクリック及びドラッグは、関心領域１３２の局所的拡張を移動する。輪郭を再配置する１つ又は複数の入力デバイス１１８の移動は、図２の既存の終了点２００を再配置する移動と同様に、関心領域１３２の局所的拡張を起動することができる。
【００３２】
図４を参照すると、病変の末端における既存の終了点を選択する、例示的な医療画像のビュー内の関心領域１３２の局所的拡張の例示的な表示が示されている。表示された医療画像は、２つの測定、すなわち、「Ａ」測定の３２．１ミリメートル（ｍｍ）と、「Ｂ」測定の３２．０ｍｍとを含む。関心領域１３２の局所的拡張は、点線によって示された「Ａ」測定の２つ終了点のうちの１つの終了点の選択によって起動される。第１の終了点は、関心領域１３２の局所的拡張の外部に位置する。第２の（選択された）終了点は、関心領域１３２の局所的拡張内に位置する。可動インジケータ１１６は、点線の境界線とともに空の長方形形状によって示される。長方形形状の中心は点を表す。いくつかの事例では、空の長方形形状は、表示された医療画像１１２の拡張エリアが、可動インジケータ１１６によって不明瞭にされない点を中心として視覚的に明らかであることを可能にする。関心領域１３２の局所的拡張は、表示された医療画像１１２の残りのエリアから拡張関心領域を分離及び区別する、境界線を含む。
【００３３】
関心領域１３２の局所的拡張を起動するためにルールが使用され得、それらのルールは、関心領域１３２の局所的拡張を起動するための信号を生成するために、１つ又は複数の入力の属性と現在表示されている情報とを評価する。たとえば、図４では、マウスクリックの入力が、選択された終了点に対応する場合、Ｘ＝はいである。すなわち、マウスがクリックされると、可動インジケータ１１６は、現在表示されている既存の終了点に対応するように配置される。入力の属性は、ユーザが測定の開始点又は終了点のロケーションをその間に変更する、ミリ秒単位での持続時間Ｙを含む。すなわち、終了点は、ドラッグで新しい位置に移動され、ドラッグの持続時間が、ミリ秒単位で測定される。入力の別の属性は、ミリ秒の所定のウィンドウについてのマウストラッキングの平均速度Ｚｍｍ／ｓを含む。すなわち、入力の属性は、表示された医療画像１１２にわたる可動インジケータの平均速度を含む。
【００３４】
例示的なルールは、Ｘ＝はい及びＹ＞１０００ｍｓである場合、関心領域１３２の局所的拡張を起動するか又は第１の信号を生成する、ということを含み得る。いくつかの事例では、ヘルスケア専門家は、終了点を選択した後に休止しており、これは、拡大が助けになることを示唆する。別の例は、Ｘ＝はい、Ｚ＜しきい値、及びＹ＞５００である場合、関心領域１３２の局所的拡張を起動するか又は第１の信号を生成する、ということを含み得る。いくつかの事例では、ヘルスケア専門家は、ある時間期間の間に、小さい増分で、又は最初に配置された終了点の極近傍に、可動インジケータ１１６をゆっくり移動しており、これは、拡大が助けになることを示唆する。
【００３５】
いくつかの実施形態では、Ｙ及び／又はＺなどのパラメータは構成可能である。いくつかの実施形態では、システム１００は、ユーザ対話のデータベースを分析することによって、１つ又は複数のパラメータを最適化することを学習することができる。パラメータ値は、統計的又は機械学習技法を使用して決定及び／又は変更され得、それらの技法は、「フォールスポジティブ（ｆａｌｓｅ  ｐｏｓｉｔｉｖｅ）」レート、すなわち、選択された終了点を移動すること又は新しい終了点を固定することを示す入力がない場合に関心領域１３２の局所的拡張を起動する事例のパーセンテージを、最小化する。
【００３６】
図５を参照すると、関心領域のコンテキスト依存局所的拡張を伴う医療画像を表示する方法の一実施形態がフローチャート化されている。５００において、医療画像のビューが、ディスプレイデバイス１１４上に表示され、可動インジケータ１１６が、表示された医療画像１１２中に配置された可動点を与える。マウストラッキングなど、１つ又は複数の入力デバイス１１８による第１の入力が、表示された医療画像内の既存の終了点又は輪郭の位置を選択する。表示された医療画像１１２は、１つ又は複数の既存の終了点及び／又は既存の輪郭など、他の表示された情報を含むことができる。
【００３７】
５０２において、第２の入力に従って、表示された医療画像１１２内の関心領域１３２の生成される局所的拡張を要求する、第１の信号が生成される。第２の入力は、可動インジケータ１１６の速度の属性、持続時間の属性、及び／或いは元の又は選択された既存の終了点からの又は既存の輪郭上の選択された位置からの可動インジケータ１１６の距離の属性を含むことができる。第１の信号は、既存の終了点又は輪郭を選択することに応答したものであり得る。第１の信号は、別の入力及び／又は、速度、持続時間又は距離など、他の入力属性との組み合わせで、既存の終了点又は輪郭を選択することに応答したものであり得る。第１の信号の生成は、第２の入力を第１の信号にマッピングするルールを使用することができる。
【００３８】
５０４において、第１の信号に応答して、可動インジケータ１１６の現在の位置に対する表示された医療画像１１２内の関心領域１３２の局所的拡張が、生成される。関心領域１３２の局所的拡張を生成することは、関心領域１３２の局所的拡張のサイズ、ズーム係数、位置及び形状の属性を決定することを含む。関心領域１３２の局所的拡張の属性は、選択された終了点と別の終了点との間の距離、既存の輪郭によって画定されたエリアにわたる幅、及び／或いはユーザ又はシステムパラメータに従って決定され得る。関心領域１３２の生成された局所的拡張は、表示された医療画像１１２中の関心領域とは別様に関心領域１３２の局所的拡張のコントラストを変更することを含むことができる。
【００３９】
５０６において、関心領域１３２の局所的拡張中の既存の終了点又は輪郭を移動する、第３の入力が受信され得る。移動された点又は輪郭は、関心領域１３２の局所的拡張の座標系から医療画像の座標系にマッピングされる。マウスボタンのリリースなど、第３の入力は、移動された点を関心領域１３２の局所的拡張上に重ね合わせて示すことを含むことができる。第３の入力は、関心領域１３２の局所的拡張中の現在表示されている輪郭を変更することを含むことができる。
【００４０】
５０８において、第４の入力に基づいて関心領域１３２の局所的拡張を削除するために、第２の信号が生成される。第４の入力は、キーボードコマンドなど、コマンドであり得る。第４の入力は、可動インジケータ１１６の位置が関心領域１３２の局所的拡張の外部にあることなど、第１の入力の属性を含むことができる。いくつかの事例では、第４の入力は、第１の入力の別の検査を含むことができる。
【００４１】
５１０において、２つの終了点の間の距離、輪郭の面積、輪郭に基づく距離など、測定値が算出され得る。算出された測定値は、測定値を、表示された医療画像１１２上に重ね合わせて表示することを含むことができる。算出された測定値は、終了点間の点線など、視覚インジケータを含むことができる。
【００４２】
上記は、コンピュータ可読記憶媒体上に符号化された又は埋め込まれたコンピュータ可読命令として実施され、コンピュータ可読命令は、（１つ又は複数の）コンピュータプロセッサによって実行されたとき、（１つ又は複数の）プロセッサに、説明された行為を行わせる。追加又は代替として、コンピュータ可読命令のうちの少なくとも１つが、信号、搬送波又は他の一時的媒体によって搬送される。
【００４３】
本発明は、好ましい実施形態に関して説明された。上記の詳細な説明を読み、理解した他者は、変更及び改変に想到する。本発明は、すべてのそのような変更及び改変が、添付の特許請求の範囲又はそれの均等物の範囲内に入る限りにおいて、それらの変更及び改変を含むものと解釈されるものである。
【図１】
2019536505.tif 000002
【図２】
2019536505.tif 000003
【図３】
2019536505.tif 000004
【図４】
2019536505.tif 000005
【図５】
2019536505.tif 000006
【国際調査報告】
2019536505.tif 000007
2019536505.tif 000008
2019536505.tif 000009